(57)【特許請求の範囲】
【請求項１】
有価証券に電子透かしデータを埋め込む画像処理装置であって、
有価証券を表す画像データを入力する入力手段と、
前記入力手段から入力された有価証券を表す画像データから当該有価証券の金額情報を検出する検出手段と、
前記検出手段により検出された金額情報を表す電子透かしデータを生成する電子透かしデータ生成手段と、
前記電子透かしデータ生成手段によって生成された電子透かしデータを前記有価証券に対して人間の目に識別しにくいように埋め込む埋め込み手段と
を有することを特徴とする画像処理装置。
【請求項２】
有価証券に電子透かしデータを埋め込む画像処理方法であって、
有価証券を表す画像データを入力する入力工程と、
前記入力工程で入力された有価証券を表す画像データから当該有価証券の金額情報を検出する検出工程と、
前記検出工程で検出された金額情報を表す電子透かしデータを生成する電子透かしデータ生成工程と、
前記電子透かしデータ生成工程で生成された電子透かしデータを前記有価証券に対して人間の目に識別しにくいように埋め込む埋め込み工程と
を有することを特徴とする画像処理方法。
【請求項３】
有価証券に電子透かしデータを埋め込む画像処理方法をコンピュータに実行させるためのプログラムを格納するコンピュータ読み取り可能な記憶媒体であって、
前記コンピュータに
有価証券を表す画像データを入力する入力工程と、
前記入力工程で入力された有価証券を表す画像データから当該有価証券の金額情報を検出する検出工程と、
前記検出工程で検出された金額情報を表す電子透かしデータを生成する電子透かしデータ生成工程と、
前記電子透かしデータ生成工程で生成された電子透かしデータを前記有価証券に対して人間の目に識別しにくいように埋め込む埋め込み工程と
を実行させるためのプログラムを格納することを特徴とするコンピュータ読み取り可能な記憶媒体。
【発明の詳細な説明】
【０００１】
【発明の属する技術分野】
本発明は画像処理装置およびその方法、並びに、記録媒体に関し、例えば、切手や小切手、紙幣等の有価証券に電子透かし（ウォーターマーク）データを印刷する画像処理装置およびその方法に関するものである。
【０００２】
【従来技術】
近年、電子的な画像データに対してその冗長性を利用して付加情報を人間の目に認識しにくく、あるいは人間の目に識別できる状態で埋め込む、いわゆる電子透かしの技術が開発されている。
【０００３】
これら電子透かしの技術は、たとえば著作権などが関与する画像データに対して、著作者の情報を付加情報として埋め込むことにより、上記画像データを他人に不当に使用されることを抑制できる効果がある。
【０００４】
【発明が解決しようとする課題】
しかしながら上述した電子透かし技術は、特定画像、例えば紙幣、小切手、切手などの有価証券などの画像に対して使用されることはなかった。また、画像に対して、その画像の価値に関する情報を埋め込むことはなかった。
【０００５】
本発明は、さまざまな情報を電子透かしデータに変換して紙幣、小切手、切手等の有価証券に対して印刷を行う、又は有価証券を作成する際に電子透かしデータを埋め込む画像処理装置、その方法及び記録媒体を提供することを目的とする。
【０００６】
また、本発明は画像に対して、その画像の価値を表す情報を埋め込むことができる画像処理装置、方法、及び記録媒体を提供することを目的とする。
【０００７】
【課題を解決するための手段】
本発明は、前記の目的を達成する一手段として、以下の構成を備える。
【０００８】
すなわち、有価証券に電子透かしデータを埋め込む画像処理装置であって、有価証券を表す画像データを入力する入力手段と、前記入力手段から入力された有価証券を表す画像データから当該有価証券の金額情報を検出する検出手段と、前記検出手段により検出された金額情報を表す電子透かしデータを生成する電子透かしデータ生成手段と、前記電子透かしデータ生成手段によって生成された電子透かしデータを前記有価証券に対して人間の目に識別しにくいように埋め込む埋め込み手段とを有することを特徴とする。
【０００９】
また、本発明は前記の目的を達成する一手段として、以下の構成を備える。すなわち、有価証券に電子透かしデータを埋め込む画像処理方法であって、有価証券を表す画像データを入力する入力工程と、前記入力工程で入力された有価証券を表す画像データから当該有価証券の金額情報を検出する検出工程と、前記検出工程で検出された金額情報を表す電子透かしデータを生成する電子透かしデータ生成工程と、前記電子透かしデータ生成工程で生成された電子透かしデータを前記有価証券に対して人間の目に識別しにくいように埋め込む埋め込み工程とを有することを特徴とする。
【００１０】
また、本発明は前記の目的を達成する一手段として、以下の構成を備える。すなわち、有価証券に電子透かしデータを埋め込む画像処理方法をコンピュータに実行させるためのプログラムを格納するコンピュータ読み取り可能な記憶媒体であって、前記コンピュータに有価証券を表す画像データを入力する入力工程と、前記入力工程で入力された有価証券を表す画像データから当該有価証券の金額情報を検出する検出工程と、前記検出工程で検出された金額情報を表す電子透かしデータを生成する電子透かしデータ生成工程と、前記電子透かしデータ生成工程で生成された電子透かしデータを前記有価証券に対して人間の目に識別しにくいように埋め込む埋め込み工程とを実行させるためのプログラムを格納することを特徴とする。
【００１２】
【発明の実施の形態】
［第１の実施形態］
図１に本発明の第１の実施形態の電子透かし情報印字装置を示す。図１において、１０１は電子透かし情報を印刷する有価証券である。有価証券としては、紙幣や小切手などさまざまなものがあるが、本実施形態では有価証券のうち切手に対して電子透かし情報を印刷する例について説明を行う。１０２は搬送装置であり、切手１０１を図中の矢印の方向に搬送することにより切手１０１を後述の位置検出手段１０３及びインクヘッド１０９に対向する位置まで搬送するための装置である。
【００１３】
１０３はホトインタラプタ等の位置検出手段であり、切手１０１が搬送装置１０２により位置検出手段１０３上を通過すると電子透かし情報の印字するためのトリガ信号を生成する。１０４は印字領域生成手段であり、位置検出手段１０３からトリガ信号が入力されると、電子透かし情報を印字するための各タイミング信号を生成して情報格納手段１０７に出力する。
【００１４】
１０５は情報入力手段であり、切手１０１に電子透かしとして印字する情報及び付加情報を入力するための装置である。情報入力手段から入力される印字情報としては、それぞれの切手を判別するためのシリアルナンバーや製造年月日や切手であることを表す情報など、さまざまな情報が考えられるが、本実施形態では情報入力手段１０５から切手１０１の金額が情報として入力されている。また、入力される付加情報は印字される有価証券のさまざまな特徴を示す情報が考えられ、当該情報が、各有価証券に共通であっても、それぞれの有価証券に固有の情報であってもよい。情報を付加する手段としては、例えば印字するドットの位置関係により付加情報を表す方法や、または多値画像の濃度を変調する方法などが考えられる。
【００１５】
１０６は情報入力手段１０５から入力された情報から電子透かし情報を生成、変換又は加工する電子透かし情報生成手段である。電子すかし情報の生成、変換は、所定の若しくは入力された付加情報に基づいて行うことができる。また、電子透かしデータを埋め込む手段としては、生成、変換された電子透かしデータに基づき、印字データを加工することによって行うことができる。例えば、入力付加情報に基づいて印字するドットの位置関係から付加情報を表す方法や、または多値画像の濃度を変調する方法などが考えられる。本実施形態の電子透かし情報生成手段１０６では説明を簡易にするため、情報入力手段１０５から入力された金額を文字として切手に印字するためのデータを生成している。
【００１６】
１０７は情報格納手段であり、電子透かし情報生成手段１０６により生成された電子透かし情報を格納しておき、印字領域生成手段１０４から入力されるタイミング信号により電子透かし情報を出力する。１０８はインクヘッド駆動回路であり、電子透かし情報生成手段から入力された電子透かし情報を基にインクヘッド１０９を駆動するための装置である。１０９はインクヘッドであり、インクヘッド駆動回路１０８によりインクの吐出を行い、切手１０１上に印刷を行う。以上の構成により、情報入力手段１０５から入力された情報は電子透かし情報生成手段１０６により電子透かし情報に変換された後、インクヘッド１０８により切手１０１上に印刷される。
【００１７】
図２は本実施形態における印字領域生成手段１０４のブロック図である。図２において、ＴＲＧは位置検出手段１０３から入力されたトリガ信号であり、切手１０１が位置検出手段１０３上にくると１を出力する。ＴＲＧ信号はカウンタ２０１及びＪ−Ｋフリップフロップ２０４（以下、Ｊ−ＫＦ／Ｆと略す）のクリア端子に接続され、ＴＲＧに１が入力されると出力がクリアされて０を出力する。また、ＴＲＧ信号はＯＲ回路２０９に入力されており、後述のＨＳＹＮＣ信号とＯＲされ、カウンタ２０５及びＪ−ＫＦ／Ｆ２０８のクリア端子に入力されており、同様にＴＲＧに１が入力されるとカウンタ２０５及びＪ−ＫＦ／Ｆ２０８はクリアされて０を出力する。
【００１８】
２１０は同期信号発生部であり、印字タイミングに同期した画素クロックであるＶＣＬＫ及びインクヘッドが１ライン分の印字を行う周期を表す主走査同期信号ＨＳＹＮＣ信号が生成され、出力されている。
【００１９】
２０１は副走査方向カウンタであり、ＨＳＹＮＣをクロックとしているため、１ラインの印字を行うごとに出力をカウントアップする。２０２，２０３は比較回路であり、カウンタ２０１から出力されたカウント値と、それぞれ所定の値であるＶＥＳＴ、ＶＥＥＮとの比較を行い、Ａから入力された値とＢから入力された値が等しい場合にＹから１を出力し、その他の場合は０を出力する。
【００２０】
２０４はＪ−ＫＦ／Ｆであり、比較回路２０２の出力とＪ入力、比較回路２０３の出力とＫ入力が接続されており、２０２から１が出力されるとＱから１を出力し、２０３から１が出力されると０を出力する。なお、Ｊ，Ｋともに０の場合は現在の出力を保持する。なお、Ｊ−ＫＦ／Ｆ２０４の動作クロックはＨＳＹＮＣが使用されている。
【００２１】
以上の構成により、比較回路２０２及び２０３に入力される値ＶＥＳＴ及びＶＥＥＮに対してＶＥＳＴ＜ＶＥＥＮとなる値を入力することにより、Ｊ−ＫＦ／Ｆ２０４から副走査方向イネーブル信号ＶＥが出力される。
【００２２】
２０５は主走査方向カウンタであり、ＶＣＬＫをクロックとしてカウントアップを行う。
【００２３】
２０６、２０７は比較回路であり、カウンタ２０５から出力されたカウンタ値と、それぞれ所定の値であるＨＥＳＴ，ＨＥＥＮとの比較を行い、Ａから入力された値とＢから入力された値が等しい場合にＹから１を出力し、その他の場合は０を出力する。
【００２４】
２０８はＪ−ＫＦ／Ｆであり、比較回路２０６の出力とＪ入力、比較回路２０７の出力とＫ入力が接続されており、２０６から１が出力されるとＱから１を出力し、２０７から１が出力されると０を出力する。なお、Ｊ，Ｋともに０の場合は現在の出力を保持する。
【００２５】
以上の構成により、比較回路２０６及び２０７に入力される値ＨＥＳＴ及びＨＥＥＮに対してＨＥＳＴ＜ＨＥＥＮとなる値を入力することにより、Ｊ−ＫＦ／Ｆ２０８から主走査方向イネーブル信号ＨＥが出力される。
【００２６】
２０９はＯＲ回路であり、トリガ信号であるＴＲＧから１が入力されるか又はＨＳＹＮＣ信号が１になるとカウンタ２０５及びＪ−ＫＦ／Ｆ２０８がクリアされる。
【００２７】
図３に情報格納部１０７のブロック図を示す。３００１は副走査カウンタ、３００２は主走査カウンタであり、３００３は電子透かし情報を格納するメモリ、３００４はＡＮＤ回路、３００５はフリップフロップ（以下Ｆ／Ｆと略す）である。
【００２８】
ここで、副走査カウンタ３００１では主走査同期信号ＨＳＹＮＣを、主走査カウンタ３００２では画素同期信号ＶＣＬＫをそれぞれ７ビット幅すなわち１２８周期で繰り返しカウントする。さらに３００３は、印字されるべき電子透かし情報がパターンとして格納されているメモリであり、あらかじめ電子透かし情報生成手段１０６から出力された電子透かし情報がＤＡＴＡ端子から入力されてメモリ内に格納されており、副走査カウンタ３００１、主走査カウンタ３００２それぞれのカウント値の下位５ビットずつが入力される。
【００２９】
メモリ３００３の出力は１ビットのみが参照され、ＡＮＤ回路３００４によって副走査カウンタ３００１及び主走査カウンタの上位２ビットずつの論理積がとられ、Ｆ／Ｆ３００５にてＶＣＬＫ信号で同期がとられて出力される。
【００３０】
図４に本実施形態における印字結果の例を示す。４００１で示されるのが本実施形態により印字された電子透かし情報である。情報入力手段１０５から入力された情報から電子透かし情報生成手段１０６により電子透かし情報を生成し、情報格納部１０７におけるメモリ３００３に格納された電子透かし情報である。本実施形態では電子透かし情報が印刷される切手１０１の金額が印字されている。
尚、一種類の電子透かし情報を付加するのではなく、複数の電子透かし情報を付加するようにしてもよい。例えば、切手の金額とその切手の種類の二つの情報を付加するようにしてもよい。
【００３１】
本実施形態では電子透かし情報を印刷する対象物として切手を例に説明を行ったが、切手以外にも紙幣、株券、小切手などの有価証券についても同様の装置を使用することにより電子透かし情報を印字することが可能である。
【００３２】
また、電子透かし情報として印字する情報としては、本実施形態で説明を行った有価証券の金額以外にもシリアルナンバー等証券を判別する情報を印字することも考えられる。
【００３３】
また、本実施形態では有価証券全面に対して印字を行ったが、印字する領域を前もって設定しておくことにより、有価証券上に余計な印字を行うことを抑制するとともに、電子透かし情報を読み出す際に所定の部分のみ情報を読み出すことで情報精度の向上及び読み出し作業の効率化を行うことも可能である。この場合、図２におけるＶＥＳＴ、ＶＥＥＮ及びＨＥＳＴ、ＨＥＥＮの値を変化させることで電子透かし情報を印字する領域を変化させること及び電子透かし情報を周期的に印字することが可能である。
【００３４】
さらに、電子透かし情報を印字するインクについては、人間の目で識別しにくいようにイエローのインクを使用して印字を行ったり、または紫外線に反応する特殊なインクを用いて印字を行うことにより、人間の目には全く電子透かし情報が認識できないようにすることも考えられる。
【００３５】
なお、本実施形態では電子透かし情報生成手段として情報入力手段から入力された情報（金額）を有価証券上に文字として表示するようにビットマップデータを生成したが、他にも付加情報を表すように画像のドット位置を変化させる方法（特開平５−３０１３８０参照）や多値画像の濃度を変調する方法（特開平５−２４４３８９）などが考えられる。
【００３６】
［第２の実施形態］
図５は本発明の第２の実施形態である。
【００３７】
図５において、５００１はＣＣＤセンサ等で構成される画像読み取り手段であり、搬送装置１０２によって切手１０１が画像読み取り手段上を移動することにより切手１０１の画像データをスキャンして読み取り、Ａ／Ｄコンバータを通してデジタル画像データとして出力する。５００２は画像読み取り手段５００１により読み取った切手１０１の画像データを順次格納する画像記憶手段であり、切手１枚分の画像データが蓄積できる容量を持つ。
【００３８】
５００３は文字判別手段であり、公知の技術により画像記憶手段５００２に格納された画像データの中から文字の検出を行い、文字情報を文字判別手段内部に保持する。通常、日本で使用されている切手には金額や日本の切手であることを表す文字情報が記載されており、文字判別手段５００３では画像記憶手段５００２に格納された画像データからこれらの文字情報を判別して取り出す。
【００３９】
５００４は情報選択手段であり、文字判別手段５００３内部に保持された文字情報の中から、電子透かし情報として切手に印字するための情報を選択を行う。情報選択手段５００４で選択された情報は電子透かし情報生成手段に送られ、文字情報が電子透かし情報として切手１０１に印字される。
【００４０】
［第３の実施形態］
図６は本発明の第３実施形態の装置概観図の一例である。
【００４１】
図６において、２２０１は有価証券の画像データを格納する画像メモリであり、格納された画像データはフルカラー情報レッド（Ｒ）、グリーン（Ｇ）、ブルー（Ｂ）の各成分に分解されて後述の信号処理部２２１１に送られる。２２０２はプリンタで、画像メモリ２２０１から送られたデータに対応した画像を、用紙にフルカラーで印刷出力する部分である。
【００４２】
信号処理部２２１１において、画像メモリ２２０１から出力された画像データは、電気的に処理され、マゼンタ（Ｍ）、シアン（Ｃ）、イエロー（Ｙ）、ブラック（Ｋ）の各成分に分解され、プリンタ２２０２に送られる。また、画像メモリからは４回の読み出し動作が行われ、それぞれ画像処理によってＭ，Ｃ，Ｙ，Ｋのうち一つの成分が生成され、プリンタ２２０２に送られ、計４回の読み出しおよび処理によって、１回のプリントアウトが完成する。
【００４３】
画像処理部２２１１から出力されるＭ，Ｃ，Ｙ，Ｋの各画像信号は、レーザードライバ２２１２に送られる。レーザドライバ２２１２は、送られてきた画像信号に応じ、半導体レーザー２２１３を変調駆動する。レーザー光は、ポリゴンミラー２２１４、ｆ−θレンズ２２１５、ミラー２２１６を介し、感光ドラム２２１７上を走査する。
【００４４】
２２１８は回転現像器で、マゼンタ現像部２２１９、シアン現像部２２２０、イエロー現像部２２２１、ブラック現像部２２２２より構成され、４つの現像部が交互に感光ドラム２２１７に接し、感光ドラム上に形成された静電潜像をトナーで現像する。
【００４５】
２２２３は転写ドラムで、用紙カセット２２２４又は２２２５より供給される用紙を巻きつけ感光ドラム２２１７上に現像された画像を用紙に転写する。
【００４６】
このようにして、Ｍ，Ｃ，Ｙ，Ｋの４色が順次転写された後、用紙は定着ユニット２２２６を通過して、トナーが用紙に定着された後に排紙される。
【００４７】
以上の構成により、有価証券が記録紙上に印刷される。
【００４８】
［画像処理部］
図７は画像処理部２２１１の構成例を示すブロック図である。
【００４９】
同図において、１２１０−１〜３は、それぞれ画像メモリ２２０１から入力されたＲ，Ｇ，Ｂのフルカラー情報であり、たとえば各８ビットの信号として入力される。
【００５０】
１４０３〜１４０５は対数変換器で、ＲＯＭ又はＲＡＭによるルックアップテーブルとして構成され、画像メモリ２２０１から送られてきた画像データを輝度信号から濃度信号へ変換する。１４０６は公知のマスキング／ＵＣＲ（下色除去）回路で、詳しい説明は省略するが、入力された３信号により、出力のためのＭ，Ｃ，Ｙ，Ｋの各信号を、各読み出し動作の度に面順次に、例えば８ビットなどの所定のビット長で出力する。
【００５１】
１４０７は公知の空間フィルタ回路で、出力信号の空間周波数の補正を行う。１４０８は濃度変換回路で、プリンタ２２０２の濃度特性を補正するもので、対数変換器１４０３〜１４０５と同様なＲＯＭ又はＲＡＭで構成される。
【００５２】
１４１０はパターン付加回路であり、出力画像へパターンを付加することにより画像内に電子すかし情報の埋め込みを行う。
【００５３】
一方１４１１はＣＰＵで、本実施形態の制御をつかさどり、１４１２はＩ／Ｏポートで、ＣＰＵ１４１１に接続されている。
【００５４】
ここで、マスキング／ＵＣＲ回路１４０６およびパターン付加回路１４１０へ別途入力される信号ＣＮ０は、表１に一例を示す２ビットの出力カラー選択信号で、ＣＰＵ１４１１からＩ／Ｏポート１４１２を経て発生され、４回の転写動作の順番を制御し、マスキング／ＵＣＲ回路１４０６とパターン付加回路１４１０の動作条件を切り替える。
【００５５】
【表１】
0003584191.tif 000002
【００５６】
［パターン付加方法］
まず、本実施形態におけるパターンの付加方法の一例を説明する。
【００５７】
図８は本実施形態の付加パターンの一例を説明する図である。同図において、領域３０１に含まれる４×４画素は、その画像信号の例えば階調が＋αとなるように変調され、領域３０２と３０３に含まれるそれぞれ２×４両素は、その担む像信号の例えば階調が−αとなるように変調され、領域３０１〜３０３の外の画素は変調しない。この領域３０１〜３０３に含まれる８×４画素を付加パターンの単位ドットとする。このように、付加パターンの１単位に８×４画素を用いるのは、本実施形態のプリンタ２２０２が公知の画像処理により、画像メモリ２２０１から入力されるデータの１／２の解像度で処理を行う領域があるためで、付加パターンの単位を１画素としたのでは、付加パターンの画像を読み取り難い場合があるためである。
【００５８】
図９と図１０は本実施形態のパターンを付加するラインの一例を示す図である。
【００５９】
図９において、４０１はパターンを付加するラインで、例えば４画素の幅である。４０１ａ〜４０１ｅはそれぞれ図８に示した単位ドットで、例えば８×４画素である。単位ドット４０１ａ〜４０１ｅは、主走査方向にｄ１（例えば１２８画素）の一定周期で並んでいる。
【００６０】
さらに、図１０において５０１〜５１０はパターンを付加するラインで、例えば４画素の幅であり副走査方向にｄ２（例えば１６画素）の一定周期で並んでいる。詳細は後述するが、例えば１本のパターン付加ラインは４ビットの情報を表し、ライン５０２〜５０９の８本のラインは一組となって３２ビットの付加情報を表すことができる。なお、パターン付加ラインは副走査方向に繰り返し形成され、例えば図１０に示すライン５０１と５０９は同一の情報を表す。
【００６１】
図１１と図１２はパターン付加ラインによる情報の表現方法の一例を示している。
【００６２】
図１１において、６０１と６０２はパターン付加ラインで、両ラインは副走査方向に隣合っている。また、６０１ａ，６０１ｂおよび６０２ａは単位ドットで、隣合ったパターン付加ラインの単位ドット同士が接近して目立つのを防ぐため、隣合ったパターン付加ライン単位ドット同士は主走査方向へ少なくともｄ３（例えば３２画素）の間隔が開くように設定する。
【００６３】
単位ドットによって表されるデータは、単位ドット６０２ａと単位ドット６０１ａとの位相差によって決定される。図１１は４ビット情報を表す一例を示しているが、図１１においては、単位ドット６０２ａはデータ“２”を表している。例えば、単位ドット６０２ａが最左端にあればデータ“０”を、最右端にあればデータ“Ｆ”を表すこととなる。
【００６４】
図１２において、全付加情報を表す一組のパターン付加ラインのうち、同図（ａ）は１番目のパターン付加ラインＬｉｎｅ０を、同図（ｂ）は４番目のパターン付加ラインＬｉｎｅ３を表す。
【００６５】
図１２に示すように、Ｌｉｎｅ０には、本来の単位ドット７０１ａ〜７０１ｄのすべての右側にｄ４（例えば１６画素）の間隔でドット７０２ａ〜７０２ｄが追加され、Ｌｉｎｅ３には、本来の単位ドット７０４ａ〜７０４ｄのすべての右側に、ｄ５（例えば３２画素）の間隔でドット７０５ａ〜７０５ｄが追加されている。この追加ドットは、各パターン付加ラインが何番目のラインかを明確にするためのマーカーである。なお、２本のパターン付加ラインにマーカーを追加するのは、出力画像からでも副走査方向の上下を確定することが出来るようにするためである。
【００６６】
また、例えば付加するパターンは人間の目がイエロー（Ｙ）のトナーで描かれたパターンに対しては識別能力が低いことを利用して、イエローのトナーのみで付加される。
【００６７】
また、付加パターンの主走査方向にドット間隔と、副走査方向の全体付加情報の繰り返し間隔とは、印字結果においてドットが確実に識別できるような薄くて均一な領域へ確実に全情報が付加されるように定める必要がある。目安としては、対象とする印字結果においてドットが確実に識別できるような薄くて均一な領域の幅の１／２以下のピッチで情報を付加すればよい。
【００６８】
［パターン付加回路］
次に本実施形態のパターン付加回路の一例について説明する。
【００６９】
図１３、図１４、図１５はパターン付加回路１４１０の構成例を示すブロック図である。
【００７０】
同図において、副走査カウンタ８１９では主走査同期信号ＨＳＹＮＣを、主走査カウンタ８１４では画素同期信号ＣＬＫをそれぞれ７ビット幅すなわち１２８周期で繰り返しカウントする。副走査カウンタ８１９の出力Ｑ２とＱ３に接続されたＡＮＤゲート８２０は副走査カウンタ８１９のビット２とビット３が共に１の時に１を出力する。すなわち、ＡＮＤゲート８２０の出力は副走査方向１６ライン毎に４ラインの期間１となり、これをパターン付加ラインのイネーブル信号とする。
【００７１】
また、ＡＮＤゲート８２０の出力と、副走査カウンタ８１９の上位３ビット（Ｑ４〜Ｑ６）とを入力する、ゲート８２２によってパターン付加ラインのライン０のイネーブル信号ＬＩＮＥ０が、ゲート８２１によってパターン付加ラインのライン３のイネーブル信号ＬＩＮＥ３が生成される。
【００７２】
一方、主走査カウンタ８１４へは、詳細は後述するがＨＳＹＮＣによって初期値がロードされ、ゲート８１５〜８１７は主走査カウンタ８１４の上位４ビット（Ｑ３〜Ｑ６）を入力する。ＡＮＤゲート８１５の出力は１２８画素毎に８画素の区間１となり、これをドットのイネーブル信号とする。また、ゲート８１６と８１７は主走査カウンタの上位４ビットの他にそれぞれ信号ＬＩＮＥ０とＬＩＮＥ３を入力して、それぞれライン０とライン３のマークのイネーブル信号を生成する。これらドットおよびマークのイネーブル信号はＯＲゲート８１８によりまとめられ、されにＯＲゲート８１８の出力と、ＡＮＤゲート８２０の出力とがＡＮＤゲート８２４で論理積され、パターン付加ライン上でだけ１となるドットおよびマークのイネーブル信号となる。
【００７３】
ＡＮＤゲート８２４の出力はＦ／Ｆ８２８において画像同期信号ＣＬＫに同期させられ、ＡＮＤゲート８３０において２ビットの出力カラー選択信号ＣＮ０と論理積される。出力カラー選択信号ＣＮ０のビット０はインバータ８２９で否定されてＡＮＤゲート８３０に入力され、出力カラー選択信号ＣＮ０のビット１はそのままＡＮＤゲート８３０に入力されるので、ＣＮ０＝１０つまりイエローの色画像が印字時に、ドットおよびマークのイネーブル信号が有効となる。
【００７４】
さらに、ＡＮＤゲート８２４の出力はカウンタ８２５のクリア端子ＣＬＲにも接続されており、カウンタ８２５はＡＮＤゲート８２４の出力が１のとき、すなわちパターン付加ラインのドットがイネーブルのときのみ画素同期信号ＣＬＫのカウントを行い、カウンタ８２５の出力のビット１とビット２はＥＸ−ＮＯＲゲート８２６へ入力され、パターン付加ラインのドット期間（８ＣＬＫ）の中間の４ＣＬＫの期間、ＥＸ−ＮＯＲゲート８２６の出力は０となる。ＥＸ−ＮＯＲゲート８２６の出力はＦ／Ｆ８２７によって画素同期信号ＣＬＫに同期され、信号ＭＩＮＵＳとなって出力される。信号ＭＩＮＵＳが０のとき、パターン付加ラインのドットは＋αに変調される。
【００７５】
なお、Ｆ／Ｆ８２７は信号ＭＩＮＵＳのヒゲを除き、またパターン付加ラインのドットのイネーブル信号と位相を合わせるためのものである。
【００７６】
信号ＭＩＮＵＳはセレクタ８３８の選択端子Ｓへｎ入力される。ＡＮＤ部８３２はレジスタ８３１から例えば８ビットの変調量αとＡＮＤゲート８３０の出力とが入力される。
【００７７】
パターン付加ラインのドットのタイミングのとき、ＡＮＤゲート８３０の出力が１となるので、ＡＮＤ部８３２からはパターン付加ラインのドットのタイミングのときに変調量αが出力される。従って、パターン付加ラインのドット以外の画素は、ＡＮＤ回路８３２が出力する変調量が０となるため変調されることはない。
【００７８】
８３３は加算部、８３５は減算部でともに端子Ａへ、例えば８ビットの画像信号Ｖが入力される。端子ＢへＡＮＤ部８３２が出力した変調量αが、加算部８３３の出力はＯＲ回路８３４へ入力され、減算部８３５の出力はＡＮＤ回路８３７へ入力される。
【００７９】
なお、ＯＲ回路８３４は加算回路８３３の加算結果Ｖ＋αがオーバフローしてキャリー信号ＣＹが出力された場合に演算結果を強制的に例えば２５５にする。同様に、ＡＮＤ回路８３７は減算回路８３５の減算結果Ｖ−αがアンダーフローしてキャリー信号ＣＹが出力された場合に、インバータ８３６で反転されたキャリー信号ＣＹによって演算結果を強制的に例えば０にするものである。
【００８０】
量演算結果Ｖ＋α、Ｖ−αはセレクタ８３８に入力され、信号ＭＩＮＵＳに応じてセレクタ８３８から出力される。
【００８１】
以上の回路構成で、図８に示したドットの変調が施される。
【００８２】
以上示したように、本実施形態によれば印刷対象に特有の情報、例えば切手を印刷する場合は切手の値段を、紙幣を印刷する場合には金額や紙幣のシリアル番号を符号化あるいは記号化したものを電子透かし情報として印刷データの中に付加パターンとして埋め込むことにより、それらの有価証券が使用される場合に所定の装置により埋め込まれた電子すかし情報を抽出して確認することにより、有価証券の不正使用を抑制することが出来る。
【００８３】
【発明の効果】
以上説明したように本発明によれば、印刷を行う有価証券に関するさまざまな情報を電子透かしデータとして紙幣、小切手、切手等の有価証券に印字する、又は有価証券を印刷する際に上記情報を電子透かしデータとして印字画像内に埋め込んで印刷を行うことができる。また、印字領域をあらかじめ設定することにより、有価証券上に余計な印字を行うことを抑制するとともに、周期的に電子透かし情報を印字することが可能となり、電子透かし情報を読み出す際に所定の部分のみ情報を読み出すことで情報精度の向上及び読み出し作業の効率化を行うことも可能である。さらには、本発明によれば、画像に対してその画像の価値を表す情報を埋め込むことができる。
【図面の簡単な説明】
【図１】本発明における第１の実施形態を示す図である。
【図２】印字領域生成手段１０４のブロック図である。
【図３】情報格納部１０７のブロック図である。
【図４】第１の実施形態における印字結果の例を示す図である。
【図５】本発明における第２の実施形態を示す図である。
【図６】本発明における第３の実施形態を示す図である。
【図７】画像処理部２２１１の構成例を示すブロック図である。
【図８】付加パターンの一例を説明する図である。
【図９】パターン付加ラインの一例を示す図である。
【図１０】パターン付加ラインの一例を示す図である。
【図１１】パターン付加ラインによる情報の表現方法の一例を示す図である。
【図１２】パターン付加ラインによる情報の表現方法の一例を示す図である。
【図１３】パターン付加回路の構成例を示す図である。
【図１４】パターン付加回路の構成例を示す図である。
【図１５】パターン付加回路の構成例を示す図である。
【図１】
0003584191.tif 000003
【図２】
0003584191.tif 000004
【図３】
0003584191.tif 000005
【図４】
0003584191.tif 000006
【図５】
0003584191.tif 000007
【図６】
0003584191.tif 000008
【図７】
0003584191.tif 000009
【図８】
0003584191.tif 000010
【図９】
0003584191.tif 000011
【図１０】
0003584191.tif 000012
【図１１】
0003584191.tif 000013
【図１２】
0003584191.tif 000014
【図１３】
0003584191.tif 000015
【図１４】
0003584191.tif 000016
【図１５】
0003584191.tif 000017